(57)【要約】【課題】  使容器本体に取り付けられた蓋を開けたときに、その蓋の裏面を作業台として使用することができ、その蓋の裏面に物を置いたりそこで何か作業したりしてもその蓋をぐらつかせずに安定させることができるハンドル付き収納容器を提供することを目的とする。【解決手段】  容器本体２と、容器本体２とヒンジ５を介して枢動する蓋３と、蓋３の外側側面に軸着されたハンドル４を備えた収納容器であって、蓋３の外側側面に、蓋３の天面３１の方向に長く穿孔された軸受け部３２と、軸受け部３２と蓋３の天面３１の間に突設された第１突起部３３とを有し、ハンドル４の両端部４５に、軸受け部３２に挿通され軸受け部３２の長軸方向に移動可能である枢軸４１と、枢軸４１の側面からハンドルの持ち手部４４の方向に向かって窪み第１突起部３３と係止可能であるハンドル凹部４２とを有していることを特徴とするハンドル付き収納容器により解決することができた。【選択図】図１
2015057350.tif 000002
【特許請求の範囲】
【請求項１】
容器本体と、前記容器本体とヒンジを介して枢動する蓋と、前記蓋の側面に軸着されたハンドルを備えた収納容器であって、
前記蓋の側面に、前記蓋の天面の方向に長く穿孔された軸受け部と、前記軸受け部と前記蓋の天面の間に突設された第１突起部とを有し、
前記ハンドルの両端部に、前記軸受け部に挿通され前記軸受け部の長軸方向に移動可能である枢軸と、前記枢軸の側面からハンドルの持ち手部の方向に向かって窪み前記第１突起部と係止可能であるハンドル凹部とを有していることを特徴とするハンドル付き収納容器。
【請求項２】
前記容器本体の外側側面に突設された第２突起部を有し、
前記ハンドルの両端部において、前記枢軸に対して前記ハンドル凹部とは反対側に前記第２突起部と係止可能なハンドル係止部とを有し、
前記蓋を閉めた状態で、前記蓋の天面に対して前記ハンドルを垂直方向にすると前記第２突起部と前記ハンドル係止部とが係止し、前記蓋の天面に対して前記ハンドルを垂直方向から傾けると２突起部と前記ハンドル係止部との係止が解除されることを特徴とする請求項１に記載のハンドル付き収納容器。
【請求項３】
前記ヒンジとは反対側に位置する前記容器本体の側面に前記蓋を係止する留め具が枢着されていることを特徴とする請求項１又は請求項２に記載のハンドル付き収納容器。
【請求項４】
前記蓋が、前記蓋の天面を有する上蓋と、前記容器本体と当接する中蓋とを有し、前記上蓋と前記中蓋とが他のヒンジを介して枢動可能であることを特徴とする請求項１から請求項３のいずれかに記載のハンドル付き収納容器。
【発明の詳細な説明】
【技術分野】
【０００１】
本発明は、釣り道具、キャンプ道具、防災備品、飲食物、工具などを収納するためのハンドル付き収納容器に関する。
【背景技術】
【０００２】
従来、種々の道具、食品等を収納、運搬するために蓋を有する箱状の容器が使用され、持ち運びしやすいようにハンドルを備えた容器として様々なものが知られている。
【０００３】
例えば、特許文献１には、容器本体と、その容器本体を覆う蓋と、その容器本体の所定の外側側面に回動可能に軸着された手提げハンドルを具備する直方体形状の保冷箱が開示されている。
【先行技術文献】
【特許文献】
【０００４】
【特許文献１】特開２０１０−１７３６６２号公報
【発明の概要】
【発明が解決しようとする課題】
【０００５】
しかしながら、特許文献１に記載の保冷箱に軸着された手提げハンドルは、持ち運ぶためだけの取手であって、手提げハンドルの端部に設けられた枢軸を中心として蓋の上方を通って回動する動きしかしないものであり、その保冷箱の蓋を開けたときに蓋の裏面、すなわち、蓋の容器本体に対する面を作業台として使用することはできないものであり、又は、作業台として使用すると非常に不安定なものであった。
【０００６】
そこで、本発明では、容器本体に取り付けられた蓋を開けたときに、その蓋の裏面を作業台として使用することができ、その蓋の裏面に物を置いたりそこで何か作業したりしてもその蓋をぐらつかせずに安定させることができるハンドル付き収納容器を提供することを目的とする。
【課題を解決するための手段】
【０００７】
〔１〕本発明は、上記課題を解決するために発明者らにより鋭意工夫されたものであり、容器本体と、前記容器本体とヒンジを介して枢動する蓋と、前記蓋の側面に軸着されたハンドルを備えた収納容器であって、前記蓋の側面に、前記蓋の天面の方向に長く穿孔された軸受け部と、前記軸受け部と前記蓋の天面の間に突設された第１突起部とを有し、前記ハンドルの両端部に、前記軸受け部に挿通され前記軸受け部の長軸方向に移動可能である枢軸と、前記枢軸の側面からハンドルの持ち手部の方向に向かって窪み前記第１突起部と係止可能であるハンドル凹部とを有していることを特徴とするハンドル付き収納容器である。
【０００８】
〔２〕そして、前記容器本体の外側側面に突設された第２突起部を有し、前記ハンドルの両端部において、前記枢軸に対して前記ハンドル凹部とは反対側に前記第２突起部と係止可能なハンドル係止部とを有し、前記蓋を閉めた状態で、前記蓋の天面に対して前記ハンドルを垂直方向にすると前記第２突起部と前記ハンドル係止部とが係止し、前記蓋の天面に対して前記ハンドルを垂直方向から傾けると２突起部と前記ハンドル係止部との係止が解除されることを特徴とする前記〔１〕に記載のハンドル付き収納容器である。
【０００９】
〔３〕そして、前記ヒンジとは反対側に位置する前記容器本体の側面に前記蓋を係止する留め具が枢着されていることを特徴とする前記〔１〕又は〔２〕に記載のハンドル付き収納容器である。
【００１０】
〔４〕そして、前記蓋が、前記蓋の天面を有する上蓋と、前記容器本体と当接する中蓋とを有し、前記上蓋と前記中蓋とが他のヒンジを介して枢動可能であることを特徴とする前記〔１〕から〔３〕のいずれかに記載のハンドル付き収納容器である。
【発明の効果】
【００１１】
本発明に記載のハンドル付き収納容器によれば、容器本体に取り付けられた蓋を開けたときに、その蓋の裏面を作業台として使用することができ、その蓋の裏面に物を置いたりそこで何か作業したりしてもその蓋をぐらつかせずに安定させることができる。
【図面の簡単な説明】
【００１２】
【図１】本件発明の一実施形態を示す閉蓋状態の全体斜視図。
【図２】本件発明の一実施形態を示す閉蓋状態の右側面図。
【図３】本件発明の一実施形態を示すハンドルの斜視図。
【図４】本件発明の一実施形態を示す閉蓋状態の一部破断右側面図。
【図５】本件発明の一実施形態を示す閉蓋状態の一部破断右側面図。
【図６】本件発明の一実施形態を示す開蓋状態の一部破断右側面図。
【発明を実施するための形態】
【００１３】
以下、本発明のハンドル付き収納容器１を、図面に示す実施形態に基づいて詳細に説明する。また、説明に出てくる上下方向は、図１、図２などにおける容器本体２の底面と蓋３の天面３１を結ぶ方向を意味する。なお、以下に説明する実施形態は、本発明を実施するに好ましい具体例であるから、技術的に種々の限定がなされているが、本発明は、以下の説明において特に発明を限定する旨明記されていない限り、これらの形態に限定されるものではない。
【００１４】
図１および図２に示すように、本発明のハンドル付き収納容器１は、容器本体２と、容器本体２の開口を覆う蓋３、蓋３の外側側面に軸着されたハンドル４を備えており、蓋３で容器本体２の開口を覆っているとき、外観の形状は略直方体である。ハンドル４は、蓋３の外側側面、より具体的には、蓋３の狭い面積側の側面に枢着されているため、蓋３の天面３１の上方を通って回動することができる。そして、蓋３は、容器本体２とヒンジ５を介して容器本体２の開口を開け閉め可能に枢動することができる。また、ハンドル付き収納容器１の材質は、軽量化、低コスト化などのため、プラスチックなどの高分子材材料であることが好ましい。なお、本実施形態において、その外観の形状は略直方体であるが、他の実施形態において、略立方体形状、略円柱形状、略楕円柱形状などの形状を採用することができる。
【００１５】
容器本体２は、略直方体形状で開口を有する部材である。容器本体２の内部に釣り道具、キャンプ道具、防災備品、飲食物、工具などを収納することができる。そして、蓋３を閉めた状態でのハンドル４の枢軸４１の下方に位置する容器本体２の外側両側面には、換言すると、容器本体２の外側両側面の上端部には、それぞれ外側に向かって突設された略半円柱状の第２突起部２１を有する。この第２突起部２１は、後述するハンドル４の両端部４５に設けられたハンドル係止部４３と係止することにより容器本体２から蓋３が勝手に開かないようにすることができ、留め具６で容器本体２と蓋３とを係止することを忘れた場合においても、ハンドル４を持ち上げたときに容器本体２に収納した内容物を飛散させることがない。
【００１６】
そして、容器本体２の外側両側面における第２突起部２１の下方には、それぞれ上下方向に貫通している支持部２２が一体に形成されている。この支持部２２は、例えば、釣りにおいて使用している釣針や釣竿を固定するため、又は、土木、建築などの作業現場で金槌や刃物を立て懸けておくためなどに使用される部材である。なお、本実施形態において、それぞれ３つの貫通孔を有しているが、他の実施形態において、３つ以外の貫通孔を有していても良い。
【００１７】
蓋３は、容器本体２の開口を覆う形状を有しており、容器本体２より深さの浅い箱状の部材である。図１、図２などに示すように、蓋３の上面に天面３１が設けられており、容器本体２の開口を覆っている。
【００１８】
そして、図４から図６に示すように、蓋３の外側両側面に、蓋３の天面３１の方向に長く略楕円形状に穿孔された軸受け部３２を有している。この軸受け部３２は後述するハンドル４の枢軸４１が挿通されている。このため、枢軸１４が軸受け部３２の長軸方向、すなわち、図４から図６における上下方向に移動することができる。また、図４に示すように、蓋３を閉めた状態で、蓋３の天面３１に対してハンドル４を上下方向に上げているときは、容器本体２の第２突起部２１と、ハンドル４のハンドル係止部４３とが係止しているため、枢軸４１は軸受け部３２の長軸方向にはほとんど移動することができない。さらに、図５、図６に示すように、容器本体２の第２突起部２１と、ハンドル４のハンドル係止部４３とが係止が解除されると、枢軸４１は軸受け部３２の長軸方向に移動することができる。
【００１９】
そして、図４から図６に示すように、蓋３の外側両側面に、軸受け部３２と蓋３の天面３１の間に外側に向かって突設された略半円柱状の第１突起部３３を有している。この第１突起部３３は、略半円柱状の形状のうち一部が天面３１の方向に真っ直ぐに立ち上がる壁面を有しており、その壁面が後述するハンドル４のハンドル凹部４２の端部と係止して、ハンドル４を回動不能にする部材である。すなわち、図６に示すように、容器本体２の上端から蓋３をおおよそ１８０度の角度で開けたときに、枢軸４１を軸受け部３２の長軸方向に移動させて、ハンドル４を上方に押し上げると、第１突起部３３はハンドル凹部４２と係止してハンドル４が左右方向に回動することを防ぐため、ハンドル４を蓋３の脚として蓋３の裏面を作業台として安定的に使用することができる。なお、このとき、蓋３の裏面が水平となるように、ハンドル４の高さや容器本体２の高さがおおよそ調整されていることが好ましい。
【００２０】
そして、蓋３は、天面３１を有する上蓋３４と、容器本体２と当接する中蓋３５とを有する。上蓋３４と中蓋３５とはヒンジ５と同じ側面に設けられた他のヒンジ７を介して枢動可能である。中蓋３５の内部には、容器本体２の開口を覆う図示しない収納板が設けられており、嵩の小さい物、例えば、釣針、釣り糸、螺子などを収納することができる。また、他のヒンジ７とは反対側に、すなわち、図１では留め具６に隠れて見えない位置に、上蓋３４と中蓋３５とが嵌合して着脱可能な部材が設けられており、留め具６による係止を解除すれば、上蓋３４を開いて中蓋３５の内部に収容した物を取り出すことができる。また、図４から図６に示すように、第１突起部３３は上蓋３４の外側両側面に突設され、軸受け部３２は中蓋３５の外側両側面に穿孔されている。なお、本実施形態において、蓋３は、上蓋３４と中蓋３５に分離可能であるが、他の実施形態において、中蓋３５の図示しない収納板を設けず、上蓋３４と中蓋３５と分離不可能とした一体形状である形態を採用することができる。
【００２１】
ハンドル４は、図１、図３に示すように、ハンドル付き収納容器１を持ち上げる、運搬するなどの行為のときに使用者が手で握る持ち手部４４と、その両側に略円板状の端部４５とを有する略コの字状の部材であり、ヘッドフォンのような形状を有する。なお、本実施形態において、ハンドル４は、略コの字状の形状を有するが、略Ｕ字状の形状などの形状を採用することができる。
【００２２】
図３に示すように、ハンドル４の両端部４５には、内側に、すなわち、蓋３に装着したときの蓋３の位置する側に突き出た略円筒状の枢軸４１をそれぞれ有している。この枢軸４１は、蓋３に穿孔された軸受け部３２に挿通し、ハンドル４が蓋３の上方を回動するときの支点となる。なお、本実施形態において、枢軸４１は、略円筒状を有するが、略円柱状などを採用することができる。
【００２３】
そして、ハンドル４の両端部４５の内側には、図３から図６に示すように、枢軸４１の外周側面からハンドル４の持ち手部４４の方向に向かって窪む略コの字状のハンドル凹部４２を有する。このハンドル凹部４２は、蓋３の外側両側面に突設された第１突起部３３と係止してハンドル４を回動不能にする部材である。すなわち、図６に示すように、容器本体２の上端から蓋３をおおよそ１８０度の角度で開けたときに、枢軸４１を軸受け部３２の長軸方向に移動させて、ハンドル４を上方に押し上げると、第１突起部３３はハンドル凹部４２と係止してハンドル４が左右方向に回動することを防ぐため、ハンドル４を蓋３の脚として蓋３の裏面を作業台として安定的に使用することができる。
【００２４】
そして、ハンドル４の両端部４５内側には、図３から図６に示すように、枢軸４１に対してハンドル凹部４２とは反対側の位置に、枢軸４１の外周側面からハンドル４の持ち手部４４の方向とは直角方向に向かって湾曲して開口する略コの字状のハンドル係止部４３を有する。このハンドル係止部４３は、第２突起部２１と係止することにより容器本体２から蓋３が勝手に開かないようにすることができ、留め具６で容器本体２と蓋３とを係止することを忘れた場合においても、ハンドル４を持ち上げたときに容器本体２に収納した内容物を飛散させることがない。なお、本実施形態において、ハンドル係止部４３は、第２突起部２１の形状に対応した湾曲した略コの字状を有するが、他の実施形態において、第２突起部２１を半球状に突設し、ハンドル係止部４３をその半球状の形状に対応する湾曲した穴であってもよい。
【００２５】
そして、ハンドル４の両端部４５の間に、容器本体２又は蓋３の方向に少し膨らんだ手持ち部４４を有する。この手持ち部４４は、ハンドル付き収納容器１を持ち上げる、運搬するなどの行為のときに使用者が手で握る部分である。また、ハンドル４の両端部４５と手持ち部４４との間の部材には四角形状の穴が設けられており、ハンドル４を軽量化するとともに、ハンドル４の耐衝撃強度を増している。
【００２６】
また、他の実施形態において、蓋の天面の中央近傍に略直方体状の窪みを設け、その側面に蓋の天面の方向に長く穿孔された軸受け部と、軸受け部と蓋の天面の間に突設された第１突起部とを設けるとともに、本実施形態よりも幅の狭いハンドルの両端部に、軸受け部に挿通され軸受け部の長軸方向に移動可能である枢軸と、枢軸の側面からハンドルの持ち手部の方向に向かって窪み前記第１突起部と係止可能であるハンドル凹部とをハンドルの外側に設けることができる。このとき、容器本体に第２突起部、ハンドルの両端部にハンドル係止部に相当する部材は存在しないが、ハンドルをコンパクトにしながら、ハンドルを蓋の脚として蓋の裏面を作業台として安定的に使用することができる。
【００２７】
ヒンジ５は、本体容器２の外側側面の上端部と、対応する蓋３の外側側面の下端部とにおいて、一方に円柱状の軸を設け他方にその軸を受ける略Ｃ字状の受け部を設けて、互いに回動可能に嵌合している部材である。なお、本実施形態において、ヒンジ５を  他の実施形態として、別部材の蝶番を本体容器２の外側側面の上端部と、対応する蓋３の外側側面の下端部に固着して、容器本体２に対して蓋３を開閉可能することもできる。
【００２８】
留め具６は、ヒンジ５とは反対側に位置する容器本体２の側面に枢着されており、上下方向の断面視において略Ｌ字状の形状を有する。この留め具６は、容器本体２と蓋３とを係止して蓋３が開かないようにする部材である。本実施形態において、留め具６は容器本体２の上端に軸着されており、蓋３の天面３１側に設けられ少し突出した図示しない突起部と係合して蓋３を係止することができるが、他の実施形態において、留め具６を蓋３の天面３１側で軸着し、容器本体２の上端に設けた突起部と係合して係止するようにしても良い。
【００２９】
他のヒンジ７は、中蓋３５の外側側面の上端部と、対応する上蓋３４の外側側面の下端部とにおいて、一方に円柱状の軸を設け他方にその軸を受ける略Ｃ字状の受け部を設けて、互いに回動可能に嵌合している部材である。また、蓋３と上蓋３４の開閉の向きが同じとなるように、他のヒンジ７は、ヒンジ５の上方に設けられることが好ましい。なお、本実施形態において、他のヒンジ７を  他の実施形態として、別部材の蝶番を中蓋３５の外側側面の上端部と、対応する上蓋３４の外側側面の下端部に固着して、中蓋３５に対して上蓋３４を開閉可能することもできる。
【００３０】
以下に、ハンドル付き収納容器１の使用方法について説明する。
【００３１】
図４に示すように、容器本体２に対して蓋３を閉めた状態において、ハンドル４を蓋３の天面３１に対して上下方向に上げているときは、ハンドル４のハンドル係止部４３の中に容器本体２の第２突起部２１が入って係止するため、容器本体２を傾けても蓋３は開かず、たとえ留め具６により蓋３と容器本体２とを係止することを忘れたとしても、ハンドル４を持ち上げたときに容器本体２に収納した内容物が飛び出ることはない。
【００３２】
そして、図５に示すように、容器本体２などに収納した内容物を取り出そうとするときに、立ち上がったハンドル４を倒していくと、ハンドル４のハンドル係止部４３から容器本体２の第２突起部２１が出て係止が解除されるため、留め具６の係止を外す操作により蓋３を容器本体２から開けることができ、容器本体２の内容物を取り出すことができる。
【００３３】
さらに、図６に示すように、蓋３をもっと開いて、容器本体２の上端から蓋３をおおよそ１８０度の角度で開けたときに、ハンドル４を起こして枢軸４１を軸受け部３２の長軸方向に移動させ、ハンドル４を上方に押し上げると、第１突起部３３はハンドル凹部４２と係止してハンドル４が左右方向に回動することを防ぐため、ハンドル４を蓋３の脚として蓋３の裏面を作業台として安定的に使用することができる。さらには、第１突起部３３はハンドル凹部４２と係止し、かつ、枢軸４１が軸受け部３２の長軸方向の一端に係止しているため、中蓋３５に対して上蓋３４を開くことはできず、中蓋３５の内部に収納している小物が不意に落下することも防いでいる。
【符号の説明】
【００３４】
１・・・ハンドル付き収納容器
２・・・容器本体
２１・・第２突起部
２２・・支持部
３・・・蓋
３１・・天面
３２・・軸受け部
３２１・軸受け拡張部
３３・・第１突起部
３４・・上蓋
３５・・中蓋
４・・・ハンドル
４１・・枢軸
４１１・枢軸突部
４２・・ハンドル凹部
４３・・ハンドル係止部
４４・・持ち手部
４５・・端部
５・・・ヒンジ
６・・・留め具
７・・・他のヒンジ
【図１】
2015057350.tif 000003
【図２】
2015057350.tif 000004
【図３】
2015057350.tif 000005
【図４】
2015057350.tif 000006
【図５】
2015057350.tif 000007
【図６】
2015057350.tif 000008